(57)【特許請求の範囲】
【請求項１】
外部操作を受け付けて閉位置と開位置との間で移動可能とされる操作部と、外部操作を受け付けてダイヤルの配列を変更するとともにダイヤル照合状態と非照合状態とを検知する機能を備えたダイヤル錠本体と、施錠位置と解錠位置の間で前記操作部と連動して移動可能な係わり合い部と、前記操作部の閉位置から開位置への移動に伴い係わり合い部に直接又は間接にリターン反力を付与するための反発力を蓄積する反力機構と、変位部を有しその変位部が外部から押し込まれて変位することによって所定の作動位置を検知する検知手段とをケーシングに関係づけて組みつけ、そのうち少なくとも前記係わり合い部および前記変位部をともにケーシングの一端側に配置して、変位部が押し込まれていない状態で操作部が開位置にあるときに反力機構に反発力を蓄積させて係わり合い部を解錠位置に保持させ、変位部が押し込まれたときに係わり合い部の保持を解除して反力機構の反発力により施錠位置に移動させるように構成したことを特徴とするダイヤル錠ユニット。
【請求項２】
ダイヤル錠本体が照合した場合のみ操作部の解錠操作を可能にするとともに、操作部の解錠操作に連動して係わり合い部の解錠位置への移動とダイヤル錠本体のリセットとを行うように構成し、操作部は前記開閉方向の操作とは異なる方向の外部操作を受け付ける機能を有する請求項１記載のダイヤル錠ユニット。
【請求項３】
係わり合い部が、操作部の開位置までの作動に連動した後、開閉部材に設けられた当該係わり合い部とは別体である誘導部によって所定の遊動しろの範囲で引き込まれることで、さらにそこから単独で解錠位置に向かって跳ね上がるように構成されている請求項１又は２記載のダイヤル錠ユニット。
【請求項４】
ケーシングの一端側にさらにラッチが取り付けてある請求項１〜３何れかに記載のダイヤル錠ユニット。
【請求項５】
ラッチは、変位部の変位方向の外力を受けた際に弾性に抗して没入可能に設けられている請求項４記載のダイヤル錠ユニット。
【請求項６】
変位部は、前記係わり合い部の作動方向と直交する方向の作動を検知するように組み込まれる請求項１〜５何れかに記載のダイヤル錠ユニット。
【請求項７】
請求項１〜６何れかに記載のダイヤル錠ユニットを扉に取り付けてなることを特徴とする開閉装置。
【発明の詳細な説明】
【技術分野】
【０００１】
本発明は、筐体の扉等に簡易に取り付け可能で、筐体側の加工の必要性も低減でき、使い勝手にも優れたダイヤル錠ユニットに関するものである。
【背景技術】
【０００２】
一般に、把手の操作を伝達軸を介してラッチに伝えるようにしたロッカー等の筐体の扉にダイヤル錠ユニットを組み込む場合、把手や伝達軸にダイヤル錠ユニットを関連づけ、ダイヤル照合により把手や伝達軸を開放するとともに、扉の閉止時に別異の操作部を操作するで把手や伝達軸を拘束し、ダイヤルをリセットするように構成されるのが通例である。
【０００３】
ところが、このようにすると、扉を含めた筐体への大掛かりな加工や追加機能が必要になり、コストアップにもつながる。また、扉を閉止したのち、操作部を操作しなければ施錠できないため、閉止時の段取りが面倒で使い勝っても悪い。さらに、扉が閉止されるまでの間にダイヤルの照合状態が続くため、セキュリティ上も好ましくない。
【０００４】
このような不具合を解消するものとして、特許文献１に示すようなダイヤル錠ユニットが提案されている。
【０００５】
このものは、ケーシングの一端側から出力部材を突出させ、その出力部材に扉の反吊元側の縁部付近で錠前を連動させて、ダイヤル照合時に出力部材を自動的に錠前が外れる方向に移動させるように構成されている。また、扉の開き動作を利用してダイヤル錠をリセットすべく、反力機構を組み込むとともに、感知部である作動杆をケーシングの他端側から突出させ、この作動杆を扉の吊元側の縁部付近において筐体に突き当てて、開くときの作動杆の突出動作でダイヤル錠をリセットしている。更に、扉の閉まる動作を利用して出力部材を施錠位置に移動させるべく、作動杆と出力部材を関連づけ、作動杆の押し込み動作に連動して出力部材が解錠位置から施錠位置に移動するように構成されている。
【０００６】
これにより、筐体への大掛かりな作り込みを抑えてダイヤル錠ユニットを取り付け、扉を閉止すると自動的に施錠され、ダイヤルの照合状態も扉の開放とともにリセットされる機能が実現されたものとなっている。
【先行技術文献】
【特許文献】
【０００７】
【特許文献１】特開２００９−１６７６９５号公報
【発明の概要】
【発明が解決しようとする課題】
【０００８】
しかしながら、出力部材の先端に支軸等を介して錠前等を取り付けたのでは、組み付け誤差が生じ易いという問題がある。
【０００９】
また、係わり合い部がケーシングの一端側から突出し、変位部がケーシングの他端側から突出しているので、扉の吊元側の縁部と筐体との間で出力部材や錠前の組み付けを行い、扉の反吊元側の縁部と筐体との間で作動杆の組み付けを行わなければならない上に、出力部材が作動するタイミングと作動杆が作動するタイミングの調整を扉の吊元側と反吊元側で行わなければならないので、調整が難しく、精度が出しにくいという問題がある。
【００１０】
さらに、閉めるだけで施錠されるとはいえ、作動杆が押し込まれるときの変位に連動して出力部材ひいては錠前を作動させるので、筐体の開口縁を通過した後にその内側のスリット等の被係わり合い部に錠前を係わり合わせる過程で筐体の周囲との干渉が生じ易く、タイミングがとりずらいという問題もある。
【００１１】
本発明は、これらの課題を有効に解決し、扉等に簡易に取り付け可能で、筐体側の加工の必要性も極力低減でき、使い勝手にも優れたダイヤル錠ユニットを提供することを目的としている。
【課題を解決するための手段】
【００１２】
本発明は、かかる目的を達成するために、次のような手段を講じたものである。
【００１３】
すなわち、本発明のダイヤル錠ユニットは、外部操作を受け付けて閉位置と開位置との間で移動可能とされる操作部と、外部操作を受け付けてダイヤルの配列を変更するとともにダイヤル照合状態と非照合状態とを検知する機能を備えたダイヤル錠本体と、施錠位置と解錠位置の間で前記操作部と連動して移動可能な係わり合い部と、前記操作部の閉位置から開位置への移動に伴い係わり合い部に直接又は間接にリターン反力を付与するための反発力を蓄積する反力機構と、変位部を有しその変位部が外部から押し込まれて変位することによって所定の作動位置を検知する検知手段とをケーシングに関係づけて組みつけ、そのうち少なくとも前記係わり合い部および前記変位部をともにケーシングの一端側に配置して、変位部が押し込まれていない状態で操作部が開位置にあるときに反力機構に反発力を蓄積させて係わり合い部を解錠位置に保持させ、変位部が押し込まれたときに係わり合い部の保持を解除して反力機構の反発力により施錠位置に移動させるように構成したことを特徴とする。
【００１４】
このように構成しても、従来の一般的なものに比べて、適用対象である筐体への大掛かりな作り込みを抑えてダイヤル錠ユニットの取り付けが可能であり、これを取り付けた開閉部材が閉止する際の自動施錠機能も確保されたものとなる。
【００１５】
しかも、係わり合い部をケーシングから直接突出させているので、途中にリンク等が不要であり、組み付け誤差が生じる要因を回避することができる。変位部も、ケーシングの同じ一端側から直接突出させているので、筐体の開口を扉で開閉する収納装置等に適用した場合には扉の反吊元側の縁部だけで筐体との組み付けを行うことができて大掛かりな組み込みが不要になり、筐体に閉止されたときに変位部が外部から押し込まれるタイミングと、閉止位置で係わり合い部が筐体の一部に係わり合うタイミングとの調整もとり易く、精度も出し易くなる。さらに、係わり合い部は変位部が受圧を受けたときに初めて施錠位置に移動するため、扉の動作と切り離して作動させることができ、開閉部材が閉止したタイミングを捉えて確実に筐体側のスリット等の被係わり合い部に干渉なく係わり合わせることが可能となる。
【００１６】
更に、適用対象である開閉部材の開放時の操作の便とセキュリティを確保するためには、ダイヤル錠本体が照合した場合のみ操作部の解錠操作を可能にするとともに、操作部の解錠操作に連動して係わり合い部の解錠位置への移動とダイヤル錠本体のリセットとを行うように構成し、操作部は前記開閉方向の操作とは異なる方向の外部操作を受け付ける機能を有することが望ましい。
【００１７】
また、更なる操作性の向上を図る上では、係わり合い部が、操作部の開位置までの作動に連動した後、開閉部材に設けられた当該係わり合い部とは別体である誘導部によって所定の遊動しろの範囲で引き込まれることで、さらにそこから単独で解錠位置に向かって跳ね上がるように構成されていることが効果的である。
【００１８】
適用対象である開閉装置への組み付け誤差を低減するためには、ケーシングの一端側にさらにラッチが取り付けてあることが有効であり、特にラッチは、変位部の変位方向の外力を受けた際に弾性に抗して没入可能に設けられていることが好適である。
【００１９】
係わり合い部と適用対象である筐体との干渉を的確に防止するためには、変位部が、前記係わり合い部の作動方向と直交する方向の作動を検知するように組み込まれていることが有効である。
【００２０】
そして、本発明のダイヤル錠ユニットを扉等の開閉部材に取り付けて開閉装置すれば、開閉装置を極力少ない工数で安価に製造することができ、開閉部材を開閉する際の開閉装置自体の使い勝手も有効に向上させることが可能となる。
【発明の効果】
【００２１】
本発明の開閉装置は、以上説明した構成であるから、適用対象である収納装置等の筐体に簡易に取り付けることができて、筐体側の加工の必要性も低減でき、精度も出し易く、加工・組立に係る工数、コストの削減が図れるとともに、収納装置等の開け閉めに係る操作手順も極力低減して使い勝手を向上させることが可能な、優れたダイヤル錠ユニットとして利用に供することができる。
【図面の簡単な説明】
【００２２】
【図１】本発明の一実施形態に係るダイヤル錠ユニットを適用した開閉装置を閉扉状態で示す斜視図。
【図２】同開閉装置を開扉状態で示す斜視図。
【図３】本発明の一実施形態に係るダイヤル錠ユニットをカバーを外した状態で示す正面図。
【図４】同ダイヤル錠ユニットの斜視図。
【図５】同ダイヤル錠ユニットを構成する第１の関連部を示す斜視図。
【図６】同ダイヤル錠ユニットを構成する第１、第２の関連部を示す斜視図。
【図７】同ダイヤル錠ユニットを構成する検知手段及び拘束手段の作動説明図。
【図８】同ダイヤル錠ユニットを構成する操作部と係わり合い部の関係を示す斜視図。
【図９】同ダイヤル錠ユニットのリセット機能を示す斜視図。
【図１０】同ダイヤル錠ユニットのリセット機能を示す斜視図。
【図１１】同ダイヤル錠ユニットの図３に対応した作動説明図。
【図１２】同ダイヤル錠ユニットの図３及び図１１に対応した作動説明図。
【図１３】同ダイヤル錠ユニットを構成する係わり合い部の作用説明図。
【発明を実施するための形態】
【００２３】
以下、本発明の第１実施形態を、図面を参照して説明する。
【００２４】
図１及び図２は、ロッカー等の収納装置として利用される本実施形態の開閉装置を示している。この開閉装置は、筐体１の収納空間を開閉する位置に開閉部材である扉２を有するもので、この扉２にダイヤル錠ユニット３を組み込むとともに、筐体１側に被係わり合い部１１を設けている。
【００２５】
扉２は、筐体１の側板１２にヒンジ機構Ｈを介して吊元側の縁部２ａを開閉可能に支持されたもので、ヒンジＨと反対側に位置する側板１２の前面に前方に向かって凹となる段部１２ａが形成してあり、扉２を閉止する際に、その凹となる段部１２ａ内に扉２の反吊元側の縁部２ｂの厚み部分が収まるようになっている。
【００２６】
ダイヤル錠ユニット３は、カバー３０ｋによって蓋封されるケーシング３０に一体に組み込まれて、扉２の前面に操作部３１やダイヤル錠本体３２を位置づけ、反吊下側の縁部２ｂに錠前である係わり合い部３３等を位置づけている。この操作部３１は、手指で摘んで回転操作できる摘み部３１ａを有し、摘んだまま扉２を開けて開放することのできる把手の機能を兼ねているものであり、この実施形態では手指で摘んで正面視右回り（解錠方向）に略６０度回転させることにより係わり合い部２１と被係わり合い部１１との係わり合いを解除するものである。
【００２７】
具体的に説明すると、係わり合い部３３は、スチール等で作られて正面視概略逆Ｌ字板状（鎌状）のもので、ケーシング３０の一端側に設けてあり、先端が下向きに屈曲する爪部３３ａをなしている。そして、扉２の反吊元側の縁部２ｂに設けたスリット２ｃを介して側方に突没しながら上下回動するように配置されている。対する被係わり合い部１１は、筐体１に形成された前記段部１２ａの内奥に位置する当たり面１２ｘと直交する側面１２ｙにおいて係わり合い部２１の突没する動作領域に対応する位置に設けたスリット状のものである。係わり合い部３３の途中は厚み方向に屈曲しており、爪部３３ａをスリット２ｃに対応させる位置に配置している。
【００２８】
本開閉装置の基本機能について先に略述すると、図１に矢印Ｓ１で示すように扉２に設けたダイヤル錠本体３２を照合させることにより操作部３１の摘み３１ａを操作可能な状態にし、その後に矢印Ｓ２で示すように操作部の摘み３１ａを閉位置Ｐ１から開位置Ｐ２に回す操作でダイヤル錠本体３２の照合状態をリセットするとともに係わり合い部３３を施錠位置Ｑ１から解錠位置Ｑ２に移動させ、引き続き矢印Ｓ３で示すようにそのまま摘み３１ａを手前に引くことで操作部３１および係わり合い部３３を開位置Ｐ２および解錠位置Ｑ２に保持したままで扉２を開放することができるものである。また、扉２の閉止時には、扉２を押し込むだけで、操作部３１および係わり合い部３３を閉位置Ｐ１および施錠位置Ｑ１に移動させ、係わり合い部３３を被係わり合い部１１に係わり合わせて扉２を筐体１に対する閉止位置に保持するとともに、操作部３１を施錠することができるものである。
【００２９】
以下、このような機能を実現するダイヤル錠ユニット３の構成等について詳述した後、ダイヤル錠ユニット３を組み込んだ開閉装置全体の構成等について説明する。
【００３０】
ダイヤル錠ユニット３は、上記操作部３１、ダイヤル錠本体３２、係わり合い部３３のほかに、図３、図４及び図６等に示すように操作部３１及び係わり合い部３３にリターン反力を付与する反力機構Ａ、図３、図４及び図５等に示すようにダイヤル錠本体３２が照合した場合のみ操作部３１の解錠操作を可能にする第１の関連部Ｂ、図３、図４及び図６等に示すように操作部３１の解錠操作に連動してダイヤル錠本体３２の照合状態をリセットする第２の関連部Ｃ、図２及び図７等に示すように扉２が閉止位置にあるか否かを検知する検知手段Ｄ、図７等に示すように操作部３１が開位置に移動した場合に当該操作部３１を係わり合い部３３とともに拘束する拘束手段Ｅ等をケーシング３０内に備えている。
【００３１】
操作部３１は、図８に示すように背面側に一体回転する円柱状の連動部３１ａを有するもので、その後方端面に直方体状の突出部３１ｂが、また軸心から変位した位置に後方に向かって延びるピン３２ｃが形成してある。
【００３２】
これに対して、前記係わり合い部３３には、基端に前記突出部３１ｂが所定の範囲で回転するために必要な開口形状の孔部３３ｂが形成してあり、この孔部３３ｂに前記連動部３１ａの突出部３１ｂを所定の遊びの下に一体回転するように嵌め合わせている。この係わり合い部の基端外周は、回転中心Ｏの周りの円周面をなすが、そのうちの２箇所に凹部をなす第１の被誘導部８１ａおよび第２の被誘導部８１ｂが設けてあり、対する図３のケーシング３０の底壁３０ｃ側には、図１３に示すように前記被誘導部８１ａ、８１ｂを引き込むための凸部をなす誘導部８２が設けてある。誘導部８２は、係わり合い部３３とは別体をなすものであり、弾性体である板バネによって構成されている。つまり、操作部３１が図１３（ａ）に示す閉位置Ｐ１にあり係わり合い部３３が施錠位置Ｑ１にあるときは第１の被誘導部８１ａが誘導部８２に嵌り合い、操作部３１が図１３（ｂ）に示す開位置Ｐ２に操作され係わり合い部３３が中間位置Ｑ３に移動したときは第２の被誘導部８１ｂが誘導部８２の作用を受ける位置に到来し、このとき誘導部８２は係わり合い部３１の基端外周で圧縮されていて、蓄積した弾性力を放出するときの復元動作によって、係わり合い部３３が更に、凹部である第２の被誘導部８１ｂが凸部である誘導部８２に引き込まれる図１３（ｃ）に示す解錠位置Ｑ２まで移動するように構成してある。すなわち、係わり合い部３３の基端に設けた孔部３３ｂと操作部３１の基端の突出部３１ｂとの遊びに起因して、操作部３１の閉位置Ｐ１→開位置Ｐ２の移動の間は係わり合い部３３が操作部３３に遅れ側において連動する作動領域として施錠位置Ｑ１→中間位置Ｑ３と追従し、その後は、係わり合い部３３が操作部３１に連動しない作動領域として操作部３１に対し図１３（ｂ）の遅れ側から図１３（ｃ）の進み側へと跳ね上がる相対移動を引き起こすものである。
【００３３】
ダイヤル錠本体３２は、図３〜図５等に示すように、ダイヤル列３２ａと、ダイヤル列３２ａの照合状態を検知して変位を引き起こす照合検知部３２ｂと、ダイヤルをリセットするダイヤル軸３２ｃと、暗証番号を設定する暗証番号設定部３２ｄ（図４参照）とを有している。
【００３４】
ダイヤル列３２ａは、ダイヤル軸３２ｃに沿って４組のダイヤル３２ａ１、操作用円板３２ａ２およびロックギア３２ａ３を配列している。ダイヤル３２ａ１には円周方向に０〜９の番号が付してあり、操作用円板３２ａ２は操作力を受け付けてダイヤル３２ａ１と一体となって回転する。ロックギア３２ａ３は、セット位置でダイヤル３２ａ１及び操作用円板３２ａ２と一体となって回転するもので、各ロックギア３２ａ３のランド（外周面）３２ａｘには、それぞれ１箇所に凹所３２ａｙが形成してある。この凹所３２ａｙが揃うとき（図１１の状態のとき）に扉２の正面に現れる番号が暗証番号（本実施形態では「１０００」）となる。
【００３５】
照合検知部３２ｂは、ケーシングの底壁３０ｃに沿ってダイヤル列３２ａに対峙して配置されるセンスカム３２ｂ１と、このセンスカム３２ｂ１から各ロックギヤ３２ａ１の凹所３２ａｙに向かって突出する爪状の判定部３２ｂ２と、センスカム３２ｂ１をロックギヤ３２ａ１に向かって押し付けるセンスカム用スプリング３２ｂ３とを具備している。
【００３６】
そして、図３及び図５に示すように１つでも判定部３２ｂ２が凹所３２ａｙに相対していなければ、判定部３２ｂ２がランド３２ａｘに乗り上る位置に保持され、他のロックギア３２ａ３の判定部３２ｂ２ともども凹所３２ａｙに入り込むことができないが、図５に矢印Ｌで示す方向にダイヤル３２ａ１が移動して図１１に示すようにセンスカム３２ｂ１の４つの判定部３２ｂ２がそれぞれ凹所３２ａｙに同時に相対したときには、センスカム用スプリング３２ｂ３によって判定部３２ｂ２が一斉に凹所３２ａｙ内に進入し、センスカム３２ｂ１が長手方向と直交する方向（図中上方向）の変位を引き起こすものである。
【００３７】
ダイヤル軸３２ｃは、図９に示すように、４つのダイヤル３２ａ１の軸心を貫通して同軸心方向に移動可能であり、外周にダイヤル３２ａ１の間隔に対応したピッチで突起３２ｃ１を設けている。一方、ダイヤル３２ａ１の内部には、竹を斜めに切ったようなスロープ形状のカム面３２ａｚがダイヤル３２ａ１と一体回転するように形成してあり、ダイヤル軸３２ｃが図９→図１０に示すようにダイヤル３２ａ１の内部に深く没入する方向に移動すると、カム面３２ａｚを介してダイヤル３２ａ１を所定の回転位相に揃えるリセット作用を営む。本実施形態では、図３に示す「００００」をリセット状態とされ、いわゆるゼロリセットと称される。
【００３８】
図４に示す暗証番号設定部３２ｄは、スライドレバー３２ｄ１と、このスライドレバー３２のスライド操作で図３に示すロックギヤ３２ａ３とダイヤル３２ａ１とが一体回転するセット状態を解除して軸方向に相対移動させ、個別回転可能な設定モードに切り替える切り替え機構（図示省略）とを有する。すなわち、照合検知部３２ｂが照合状態を検知して変位を生成している図１１の状態から、ロックギヤ３２ａ３とダイヤル３２ａ１との一体回転状態を一旦解除してダイヤルの配列を例えば「２０００」に変更し、再びスライドレバー３２ｄ１をセット状態に戻せば、この「２０００」で照合検知部３２ｂが照合状態を検知したことになり、以降、これが新たな暗証番号となる。このスライドレバー３２ｄ１は図１に示すカバー３０ｋ側に表出している。
【００３９】
図３、図４及び図６に示す反力機構Ａは、リターンバー４１とリターン用スプリング４２とから構成される。リターンバー４１は、ケーシング３０の上壁３０ａに沿って配置される板状のもので、一部に一対の折り曲げ片４１ａを有し、その折り曲げ片４１ａ、４１ａ間に連動部３１ａのピン３１ｂを受容して、連動部３１ａの回転に連動してケーシング３０内を進退可能とされている。リターン用スプリング４２はコイルバネ状のもので、前記リターンバー３１の他端部とケーシング３０の対応する内壁３０ｂとの間に弾設され、圧縮されることによってリターンバー４１を介し操作部３１に閉位置方向（正面紙左方向）へ押し戻す作動力を蓄積する。
【００４０】
第１の関連部Ｂは、ダイヤル錠本体３２が照合した場合のみ操作部３１の解錠操作を可能にべく、図４〜図６等に示すように、前記照合検知部３２ｂと前記操作部３１の間を関連づけ、ダイヤル錠本体３２の照合状態に応じて操作部３１の操作可能状態と操作禁止状態とを切り替えるものである。具体的に説明すると、前記照合検知部３２ｂの変位に連動して昇降する作動杆５１と、この作動杆５１の作動端に支軸ｍ２周りに回転可能に配置された下向きの爪部５２ａを有する爪部材５２と、この爪部材５２を下向きに押し付けるバネ５３と、前記爪部５２ａが選択的に係合するように前記連動部３１ａの対応位置に引っ掛かり可能に設けた解錠規制部３１ｘとからなる。そして、図３及び図５に示す照合検知部３２ｂの降下時（ダイヤル錠本体３２の非照合時）に当該作動杆５１が降下して爪部５２ａが解錠規制部３１ｘに係わり合うことにより操作部３１が閉位置Ｐ１に保持されて図１２に示す開位置Ｐ２に向かう操作を禁止し、図１１に示す照合検知部３２ｂの上昇時（ダイヤル錠本体３２の照合時）に当該作動杆５１が上昇して爪部５２ａと解錠規制部３１ｘとの係わり合いを解除し、操作部３１の図１１→図１２に示す開方向への操作を許容するものである。操作部３１が一旦操作されると、爪部材５２の爪部５２ａが解除規制部３１ｘから外れて図６に示す円周部３１ｙ上に乗り上げるため、再び操作部３１が閉位置に復帰するまで爪部材５２による規制は行われない。
【００４１】
また、第２の関連部Ｃは、操作部３１の解錠操作に連動してダイヤル錠本体３２の照合状態をリセットすべく、図４及び図６等に示すように、前記ダイヤル軸３２ｃと前記操作部３１との間を関連づけるものである。具体的に説明すると、この第２の関連部Ｃは、前記リターンバー４１と、このリターンバー４１の進退動作に前記ダイヤル軸３２ｃの進退動作を連動させる中間伝達部材４３とにより構成される。この中間伝達部材４３は、ダイヤル軸３２ｃの一端にフランジ状をなす第１の伝達部４３ａを係合させ、前記リターンバー４１が押し込まれる側に位置する折り曲げ片４１ａと交叉して接触する位置にフランジ状をなす第２の伝達部４３ｂを挿入している。そして、操作部３１が開方向に操作されるに伴い、リターンバー４が図１１→図１２に示すようにリターンバー用スプリング４２を圧縮する方向に移動したとき、中間伝達部材４３を介してダイヤル軸３２ｃをダイヤル列３２ａ内に押し込む。
【００４２】
なお、中間伝達部材４３とダイヤル列３２ａとの間にはダイヤル軸３２ｃを突出位置に復帰させるための復帰バネ３２ｃｘが圧縮状態で介在させてある。
【００４３】
検出手段Ｄは、扉２が閉止位置にあるか否かを検知すべく、図２及び図７等に示すように、筐体１の側板１２の側面１２ｙに設けた押圧子７１と、扉２の反吊元側の縁部２ｂ内に位置するようにケーシング３０の一端側において当該縁部２ｂに平行な軸ｍ３回りに取り付けられて閉止位置で前記押圧子７１に押し込まれることにより回転変位する変位部７２と、変位部７２を押圧子７１に向かう方向に押し付けるバネ７３とを含み、扉２を閉止した際にこの変位部７２が押圧子７１に押し込まれて図７（ｄ）に矢印で示すように一方向に回転し、扉２が筐体１から開放されたときに変位部７２がバネ７３に押し付けられて図７（ｃ）に矢印で示すように他方向に回転するものである。すなわち、変位部７２は係わり合い部１１の作動方向と直交する方向の作動を検知するように前記ケーシング３０に一体的に組み込まれている。
【００４４】
拘束手段Ｅは、操作部３１が開位置Ｐ２に移動して扉２が開放された場合に当該操作部３１を係わり合い部３３とともに拘束すべく、図７等に示すように、基端を操作部３１の支軸ｍ４と直交する前記軸ｍ３回りに回転可能に取り付けられ先端に連動部３１ａの外周に向かう爪部６１と、この爪部６１を連動部３１ａの外周に向かわせる方向に押し付けるバネ６２とを有したもので、爪部６１は前記変位部７２とともに一体に形成され、バネ６２は前記バネ７３と共用されている。一方、対応する連動部３１ａの外周には、操作部３１が開位置Ｐ２にあり係わり合い部３３が図１３（ｂ）の中間位置に達したときに前記爪部６１に係止されて閉位置側への回転を拘束される位置に第１の規制部３１ｍと、ここから係わり合い部３１が図１３（ｃ）に示すように解錠位置Ｑ２まで跳ね上がり扉２が図７（ｂ）→（ｃ）に示すように開放された後に一旦閉止されて操作部３１が拘束手段Ｅの拘束を解除され操作部３１の位置が閉位置Ｐ１側に変位した際に図７（ｄ）→（ｅ）、図１３（ｃ）→（ｄ）に示すように操作部３１の第２の開位置Ｐ３において前記爪部６１に再び係止されて係わり合い部３３を第２の解錠位置Ｑ４で停止させる位置に第２の規制部３１ｎが設けてある。
【００４５】
組み込みに際しては、図２に示す筐体１側に樹脂製の押圧子７１を取り付け、扉２にスリット２ｃを設けて鎌状の係わり合い部３３を挿し通した状態でダイヤル錠ユニット３を扉２に取り付け、この状態でダイヤル錠ユニット３の変位部７２を前記筐体１側の押圧子７１に相対する位置に配置している。
【００４６】
その際、図１３（ｂ）に示す係わり合い部３３の中間位置Ｑ３では係わり合い部３３は図１に示す筐体１の開口縁１ａを通過できず、ここから係わり合い部３３が誘導部８１と被誘導部８２ｂの間の引き込み作用で跳ね上がることによって、係わり合い部３３がはじめて開口縁１ａを通過可能な図１３（ｃ）に示す解錠位置Ｑ２に移動する。この実施形態における開口縁１ａの位置は、スリット１１が設けられている側面１２ｙの位置と同じであり、係わり合い部３３が開口縁１ａを通過する条件と、スリット１１から抜ける条件とは等しい。
【００４７】
また、図１３（ｄ）に示す操作部の第２の開位置Ｐ３では、係わり合い部３３はいまだ筐体１の開口縁１ａを通過可能な位置にあるように設定されている。
【００４８】
なお、以上の構成をとった場合、解錠時に操作部３１に対する操作が不完全であると、図１３（ａ）の閉位置Ｐ１から図１３（ｂ）の開位置Ｐ２に向かう途上で当該開位置の手前の第２の開位置Ｐ３に拘束される事態も起こり得るが、その際には係わり合い部３３は操作部３１に対し遅れ側に保持されて筐体１の開口縁１ａを通過できないように設定してある。これに対して、前述したように、操作部３１が一旦開位置に達し係わり合い部３３が図１３（ｃ）に示す進み側に跳ね上がった後にその拘束が解除されて操作部３１が閉位置Ｐ１に向かう途上で図１３（ｄ）に示す第２の閉位置Ｐ３に再度拘束される際には、係わり合い部３３は進み側に保持されて筐体１の開口縁１ａを通過可能なように構成されている。
【００４９】
次に、既に一部において述べた作動も含めて、本実施形態全体の作動を説明する。
【００５０】
先ず、扉２に示す閉止位置にあり、ダイヤル錠本体３２が非照合状態にあるときは、図７（ａ）に示す検知手段Ｄが扉２の閉止状態を検知して拘束手段Ｅを非拘束状態に保持し、また図４及び図５に示す照合検知部３２ｂが非照合状態を検知することにより第１の関連部Ｂを介して操作部３１を閉位置Ｐ１に拘束する。次に、ダイヤル錠本体３２を照合させると、照合検知部３２ｂが照合状態を検知して操作部３１を開放する。そこで、図７（ａ）→（ｂ）に示すように操作部３１を摘んで回転操作すると、図４に示す反力機構Ａのリターンバー４１が反力を蓄積しつつ移動し、その結果、図１３（ａ）→（ｂ）に示すように操作部３１が閉位置Ｐ１から開位置Ｐ２に、係わり合い部２１が施錠位置から中間位置Ｑ３まで移動するとともに、図６に示すリターンバーが図１１→図１２に示すように中間伝達部４３を介してダイヤル軸４２ｃを押し込み、ダイヤル列３２ａをゼロリセットする。かかるゼロリセットのときに、図４及び図５に示す第１の関連部Ｂが非照合状態を検知して操作部３１の操作を規制しようとするが、第１の関連部Ｂを構成する爪部材５２の爪部５２ａが図６に示す解除規制部３１ｘから外れてその円周部３１ｙ上に乗り上げるため、この時点で操作部３１の操作は規制されない。操作部３１を回転操作して開位置Ｐ２にまで操作したとき、係わり合い部３３は先ず図１３（ｂ）に示す中間位置Ｑ３まで移動するが、更にそこから誘導部８１ａと被誘導部８１ｂとによる引き込み作用によって図１３（ｃ）に示す解錠位置Ｑ３まで跳ね上がり、その結果、係わり合い部３３は筐体１の開口縁１ａを通過可能となり、扉２を開放することができる。操作部３１の操作が不十分であって開位置Ｐ２に達しない場合（拘束手段Ｅに拘束される位置に達しない場合）には、係わり合い部３３の跳ね上げ動作は引き起こされず、係わり合い部３３が筐体１の開口縁を通過して扉２が開放されることはない。その後、引き続き操作部３１を摘んで図１に矢印Ｓ３で示すように扉２を手前に引くと、扉２が開放されるに従い、検知手段Ｄが図７（ｂ）→（ｃ）に示す扉２の開放状態を検知して爪部６１を移動させ、この爪部６１が第１の規制部３１ｍに落ち込んで係わり合り、操作部３１が開位置Ｐ２に拘束される。この時点で利用者は操作部３１の摘み３１ａから手を離しても閉位置Ｐ１に復帰することはない。
【００５１】
扉２を閉めるときは、図１に矢印Ｓ４で示すように閉止位置に向かって扉２を操作すると、閉止位置に到達したときに検知手段Ｄが図７（ｃ）→（ｄ）に示す扉２の閉止状態を検知して拘束手段Ｅの爪部６１を非拘束位置に移動させる。その結果、反力機構Ａによって操作部３１が図７（ｄ）→（ａ）に示すように閉位置Ｐ１に移動させられ、係わり合い部３３が図１３（ｃ）→（ａ）に示すように解錠位置Ｑ２から施錠位置Ｑ１に移動する。このとき、ダイヤル錠本体３２は非照合状態にあるため、第１の関連部Ｂの爪部５２ａが操作部３１の施錠規制部３１ｘに落ち込んで操作部３１を閉位置Ｐ１に規制する。次にダイヤル錠本体３２を照合させて扉２を開けるときには、誘導しろの範囲で操作部３１が係わり合い部３３よりも先に回転を始めるため、このとき進み側と遅れ側の関係が入れ替わる。
【００５２】
また、扉２を一旦閉止した後に入れ忘れや出し忘れがあって操作部３１をほぼ開位置に保持したまま開け閉め操作を行う場合に、拘束手段Ｅの爪部６１は図１３（ｃ）の状態から一旦第１の規制部３１ｍの拘束を解除するため、反力機構Ａからの反力で操作部３１が図１３（ｄ）に示すように開位置Ｐ２から閉位置Ｐ１側へ位置ずれするおそれがあるが、拘束手段Ｅの爪部６１は操作部３１の第２の開位置Ｐ３において再び第２の規制部３１ｎに係わり合って操作部３１を拘束することができるので、その後に操作部３１から手を離しも、係わり合い部３３が第２の解錠位置Ｑ４に保持され、その後に扉２を閉めても筐体１の開口縁１ａに激突することが防止される。
【００５３】
なお、図２に示すように、ダイヤル錠ユニット３のケーシング３０には交叉して三角形の２辺を形成するように前向きの斜面と後向きの斜面を有するラッチ３０ｘが突出方向の弾性力を付与されて突没可能に設けてあり、扉２の閉止位置でこのラッチ３０ｘが当たり面１２ｘに係わり合い、このとき変位部７２の変位方向の外力により当たり面１２ｘの縁部に密接して、扉２のガタつきを防止するようにしている。このラッチ３０ｘは、当たり面１２ｘの縁部に前方から突き当たり、没入しながら後向きの斜面が通過して前向きの斜面の一部が縁部に引っかかって停止する位置関係に設定されており、当たり面１２の背面に完全に回り込むものではない。
【００５４】
以上のように、本実施形態の開閉装置を構成するダイヤル錠ユニット３は、外部操作を受け付けて閉位置Ｐ１と開位置Ｐ２との間で移動可能とされる操作部３１と、外部操作を受け付けてダイヤルの配列を変更するとともにダイヤル照合状態と非照合状態とを検知する機能を備えたダイヤル錠本体３２と、施錠位置Ｑ１と解錠位置Ｑ２の間で移動可能な係わり合い部３３と、係わり合い部３３にリターン反力を付与する反力機構Ａと、変位部７２を有しその変位部７２が外部から押し込まれて変位することによって所定の作動位置を検知する検知手段Ｄとをケーシング３０に関係づけて組みつけ、そのうち少なくとも前記係わり合い部３３および前記変位部７２をともにケーシング３０の一端側に配置して、変位部７２が押し込まれていない状態で操作部３１が開位置Ｐ２にあるときに反力機構Ａに反発力を蓄積させて係わり合い部３３を解錠位置に保持させ、変位部７２が押し込まれたときに係わり合い部３３の保持を解除して反力機構Ａの反発力により施錠位置に移動させるように構成したものである。
【００５５】
このように構成しても、従来の一般的なロッカー等の施錠装置に比べて、筐体１への大掛かりな作り込みを抑えてダイヤル錠ユニット３の取り付けが可能であり、これを取り付けた扉２を閉止する際には自動的に施錠されるため使い勝手も改善されたものとなる。
【００５６】
しかも、係わり合い部３３をケーシング３９から直接突出させているので、途中にリンク等が不要であり、組み付け誤差が生じる要因を回避することができる。変位部７２も、ケーシング３０の同じ一端側から直接突出させているので、扉２の反吊元側の縁部２ｂだけで筐体１との間の組み付けを行うことができて大掛かりな組み込みが不要になり、筐体１に閉止されたときに変位部７２が外部から押し込まれるタイミングと、閉止位置で係わり合い部３３が筐体１の被係わり合い部１１に係わり合うタイミングとの調整もとり易く、精度も出し易くなる。さらに、係わり合い部３３は変位部７２が受圧を受けたときに初めて施錠位置Ｑ１に移動するため、扉２の動作と切り離して作動させることができ、扉２が閉止したタイミングを捉えて確実に筐体１側の被係わり合い部１１に干渉なく係わり合わせて的確な機能を確保することができるようになる。
【００５７】
また、ダイヤル錠本体３２が照合した場合のみ操作部３１の解錠操作を可能にするとともに、操作部３１の解錠操作に連動して係わり合い部３３の解錠位置Ｑ２への移動とダイヤル錠本体３２のリセットとを行なわせるものであり、操作部３１は前記開閉方向の操作とは異なる方向の外部操作を受け付ける機能を有しているため、操作部３１を通じて係わり合い部３３の解錠、ダイヤル錠本体３２のリセット、扉２の開放までを１つの操作で一連に行うことができるので、扉２の開放時の手順が従来の一般的なものよりも簡素になり、扉２の開放時におけるセキュリティ機能も確保されて、特許文献１のものと比べても遜色のないものになる。
【００５８】
係わり合い部３３の作動も、操作部３１の開位置までの作動に連動した後、さらにそこから単独で解錠位置Ｑ２に向かって跳ね上がるように構成されているので、操作部３１に加える操作量が少なくなるように設計して、更なる使い勝手の向上を追求することもできる。
【００５９】
さらに、ケーシング３０の一端側にラッチ３０ｘが取り付けてあるので、係わり合い部３３と被係わり合い部１１との組み付け誤差等をこのラッチ３０ｘで解消することができ、筐体１側に新たな加工を施したり組み付け精度を上げずとも、扉２のガタつきや施錠強度の低下を効果的に解消することができるようになる。
【００６０】
特に、ラッチ３０ｘは、変位部７２の変位方向の外力を受けた際に弾性に抗して没入可能に設けられているので、更にダイヤル錠ユニット３側だけで組み付け誤差の吸収が図り易くなる。
【００６１】
さらにまた、前記変位部７２は、前記係わり合い部３３の作動と直交する方向の作動を検知するものであるため、変位部７２の変位方向に扉２を作動させる本実施形態のようなケースでは、扉２の作動方向と直交する方向に係わり合い部が作動する状態となるが、このような場合にも変位部７２が変位を検知しない限り係わり合い部３３が施錠方向に作動しないので、係わり合い部３３と筐体１との干渉を的確に防止する組み込みが可能となる。
【００６２】
そして、本実施形態は、以上のようなダイヤル錠ユニット３を扉２に取り付けて開閉装置を構成しているため、当該開閉装置を極力少ない工数で安価に製造することができ、扉２を開閉する際の開閉装置自体の使い勝手も有効に向上させることが可能となる。
【００６３】
なお、各部の具体的な構成は、上述した実施形態のみに限定されるものではなく、本発明の趣旨を逸脱しない範囲で種々変形が可能である。
【符号の説明】
【００６４】
３…ダイヤル錠ユニット
３０…ケーシング
３０ｘ…ラッチ
３１…操作部
３２…ダイヤル錠本体
３３…係わり合い部
７２…変位部
Ａ…反力機構
Ｄ…検知手段
Ｐ１…閉位置
Ｐ２…開位置
Ｑ１…施錠位置
Ｑ２…解錠位置
【図１】
0005510922.tif 000002
【図２】
0005510922.tif 000003
【図３】
0005510922.tif 000004
【図４】
0005510922.tif 000005
【図５】
0005510922.tif 000006
【図６】
0005510922.tif 000007
【図７】
0005510922.tif 000008
【図８】
0005510922.tif 000009
【図９】
0005510922.tif 000010
【図１０】
0005510922.tif 000011
【図１１】
0005510922.tif 000012
【図１２】
0005510922.tif 000013
【図１３】
0005510922.tif 000014